(57)【要約】      （修正有）【課題】叩く力を拡散させて均等な面状にすることができ、シェイプアップやダイエット効果を向上させることができる、面状に叩くことが可能なマッサージベルトを提供する。【解決手段】本面状に叩くことが可能なマッサージベルトは、駆動部材を備える。前記駆動部材は往復運動可能な棒体を備え、前記棒体は可動な叩き片に連結され、前記棒体、叩き片の連結箇所には弾力部材が設けられる。前記マッサージベルトを人体に巻いた時、前記棒体が前記叩き片を連動させることにより人体を叩き、前記叩き片には、前記弾力部材によって弾性反発力が生じ、前記叩き片は弾性を伴って人体を叩くことができる。このように、棒体の部分的な点状の叩く力は、生じた弾性反発力により拡散されて、弾性を伴った均等な面状の力に変化することができるため、シェイプアップとダイエットの効果を向上させることができる。【選択図】図１
0003169025.tif 000002
【実用新案登録請求の範囲】
【請求項１】
面状に叩くことが可能なマッサージベルトであって、
マッサージベルトには駆動部材が設けられ、
前記駆動部材は、往復運動可能な棒体を備え、
前記棒体には、可動な叩き片が連結され、
前記棒体と叩き片の連結箇所には弾力部材が設けられることを特徴とする、面状に叩くことが可能なマッサージベルト。
【請求項２】
前記マッサージベルトは、ケース型台座体と、ベルト体とを備え、前記ベルト体の一端と前記台座体の一側は連結され、前記ベルト体の一側表面には粘着部が設けられ、前記ベルト体の他端はアクティブ端であり、前記アクティブ端は、前記台座体の他側に設けられたリング部に貫通させた後に折り曲げられるとともに、前記粘着部によって粘着固定されることを特徴とする、請求項１に記載の面状に叩くことが可能なマッサージベルト。
【請求項３】
前記棒体の端部には連結板が連結され、前記叩き片の一側には複数の連結柱が設けられ、前記連結柱は、前記連結板に設けられた複数の開孔に可動に貫設され、前記叩き片は、前記連結板に可動に連結され、前記弾力部材は、前記連結板と前記叩き片の間における前記連結柱の外表面に設けられ、前記弾力部材の両端にはワッシャが設けられ、前記連結板と前記マッサージベルトの間には少なくとも一つの弾性体が設けられ、前記叩き片は、複数のマッサージ凸部を備えることを特徴とする、請求項１に記載の面状に叩くことが可能なマッサージベルト。
【考案の詳細な説明】
【技術分野】
【０００１】
本考案は面状に叩くことが可能なマッサージベルトに関し、特に、叩く力を拡散させて均等な面状にすることができ、シェイプアップやダイエット効果を向上させることができるマッサージベルトに関する。
【背景技術】
【０００２】
経済が発展し、近代文明の忙しい生活の中で、人々は戸外で運動する機会が少なくなったため、肥満が増え、腰や背中が痛いなどの症状が頻繁に生じるようになった。そのため、運動や健康を保つ目的のために、フィットネス器具やマッサージ器を使用することが多くなった。
【０００３】
しかしながら、一般的なフィットネス器具は、ランニング、体の各部位のストレッチ、自転車に乗る等の動作以外は、シェイプアップ、ダイエット、体脂肪率の減少には大きな効果はない。
【０００４】
また、従来の叩き式マッサージ器は、台湾特許第Ｍ２５０６５９号、第Ｍ３１６７３０号、第Ｍ２５７１８９号、第５６９７８０号、第４２５８６８号、第３６４２８６号に開示されている。本考案者は、これらの特許は、少なくとも以下の欠点があることに気付いた。それは、マッサージ器のヘッド部分が、局部的な点状でしかマッサージ部を叩くことができず、叩く力を拡散させて、均等な面状にすることができないため、人体の広い面積に対して心地よく叩くことができず、シェイプアップ、ダイエット、体脂肪率の減少に対する効果が低い、という欠点である。
【先行技術文献】
【特許文献】
【０００５】
【特許文献１】台湾特許第Ｍ２５０６５９号明細書
【特許文献２】台湾特許第Ｍ３１６７３０号明細書
【特許文献３】台湾特許第Ｍ２５７１８９号明細書
【特許文献４】台湾特許第５６９７８０号明細書
【特許文献５】台湾特許第４２５８６８号明細書
【特許文献６】台湾特許第３６４２８６号明細書
【考案の概要】
【考案が解決しようとする課題】
【０００６】
そこで、本考案は、叩く力を拡散させて均等な面状にすることができ、シェイプアップやダイエット効果を向上させることができる、面状に叩くことが可能なマッサージベルトを提供することを目的とする。
【課題を解決するための手段】
【０００７】
本考案による面状に叩くことが可能なマッサージベルトは、駆動部材を備える。前記駆動部材は往復運動可能な棒体を備え、前記棒体は可動な叩き片に連結され、前記棒体、叩き片の連結箇所には弾力部材が設けられる。前記マッサージベルトを人体に巻いた時、前記棒体が前記叩き片を連動させることにより人体を叩き、前記叩き片には、前記弾力部材によって弾性反発力が生じ、前記叩き片は弾性を伴って人体を叩きくことができる。このように、棒体の部分的な点状の叩く力は、生じた弾性反発力により拡散されて、弾性を伴った均等な面状の力に変化することができるため、シェイプアップとダイエットの効果を向上させることができる。
【図面の簡単な説明】
【０００８】
【図１】本考案を示した斜視図である。
【図２】本考案を示した分解斜視図である。
【図３】本考案を示した断面図である。
【図４】本考案を人体に巻いて使用した実施例を示した断面図である。
【図５】本考案を人体に巻いて使用した実施例を示した部分断面図である。
【図６】本考案の棒体が伸びて叩き片を連動させ、人体を叩いた時の状態を示した部分断面図である。
【図７】本考案の叩き片が縮んだ後に、弾力部材を圧縮させ、弾性反発力が生じた時の状態を示した部分断面図である。
【図８】本考案の棒体が縮み、それに連動して叩き片が元の位置に戻った状態を示した部分断面図である。
【図９】本考案のマッサージベルトを使用者の腰と腹部に巻いて使用した実施例を示した説明図である。
【図１０】本考案のマッサージベルトを使用者の肩部と脇の下の部位に巻いて使用した実施例を示した説明図である。
【図１１】本考案の別の実施例を示した断面図である。
【考案を実施するための形態】
【０００９】
図１、図２、図３に示すように、本考案の実施例による面状に叩くことが可能なマッサージベルトは、マッサージベルト１０に、駆動部材２０と、連結板３０と、叩き片４０と、複数の弾力部材５０とを設けてなる。駆動部材２０が叩き片４０を連動させることにより人体を叩いた時、叩き片４０は、弾力部材５０によって弾性反発力が生じ、叩き片４０は弾性を伴って人体を叩くことができる。それにより、叩く力を、弾性を伴った均等な面状にすることができ、シェイプアップとダイエット効果を向上させることができる。以下に本考案の詳細な説明を行う。
【００１０】
マッサージベルト１０は、ケース型台座体１１と、ベルト体１２とによって構成する。その内、ベルト体１２の一端と台座体１１の一側は連結され、ベルト体１２の一側表面には粘着部１２１が設けられる。併せて、図４も参照する。ベルト体１２の他端はアクティブ端であり、そのアクティブ端は、台座体１１他側に設けられたリング部１１１に貫通させた後に折り曲げられ、粘着部１２１によって粘着固定される。それにより、マッサージベルト１０は、ベルトの内径を簡単に調整し、様々な使用者の体の所定の部位に巻くことができる。
【００１１】
駆動部材２０は、棒体２１と、導線２２と、制御ユニット２３と、支持板２４と、蓋板２５とを備える。棒体２１は電磁鉄であり、駆動部材２０は、さらに、コイルを備える。前記コイルは無励磁であり、それにより、棒体２１に伸びる、縮む、の往復動作をさせることができる。駆動部材２０は、導線２２によって制御ユニット２３に連結され、制御ユニット２３によって駆動部材２０の電源のオンオフを制御することができる。支持板２４と蓋板２５は、螺合部材によって組み合わされて駆動部材２０を覆い、さらに、支持板２４と蓋板２５は螺合部材によって台座体１１に螺合される。
【００１２】
連結板３０は、螺合部材によって、棒体２１の端部に連結される。連結板３０と支持板２４の間には、例えば引張コイルばね等の二つの弾性体３１が設けられる。それにより、連結板３０が棒体２１に押されたとき、連結板３０を安定して移動させることができる。
【００１３】
叩き片４０は、弾性を備える材料からなり、叩き片４０は、マッサージ効果を備えた、複数のマッサージ凸部４１を備える。叩き片４０の一側には、複数の連結柱４２が設けられ、連結柱４２は、連結板３０に設けられた複数の開孔３２に可動に貫設される。また、連結柱４２のヘッド端部の外径は大きいため、連結柱４２が連結板３０に貫設された箇所を移動する際、引っかかり、連結柱４２がとれてしまうのを防ぐことができる。さらに、叩き片４０は、連結板３０に可動に連結され、連結板３０と叩き片４０の間における前記連結柱４２の外表面には、圧縮バネ等の弾力部材５０が設けられ、弾力部材５０の両端には、騒音を防止するためにワッシャ５１が設けられ、叩き片４０は、駆動部材２０に向かって移動する時、弾力部材５０を圧縮し、弾力部材５０に弾性反発力が生じる。
【００１４】
図４と図９に示すように、使用者は、本考案のマッサージベルト１０の内径を調整し、マッサージベルト１０を、簡単に、使用者の腰と腹部に巻いて固定することができる。部。
【００１５】
図５、図６、図７に示すように、駆動部材２０を通電させると、棒体２１が伸びて連結板３０を動かし、それにより叩き片４０も連動することで、人の体を叩くことができる。叩き片４０で人の体を叩いた時、人の体には抵抗が生じ、叩き片４０は駆動部材２０に向かって移動し（即ち、縮む）、弾力部材５０を圧縮させ、弾性反発力が生じ、叩き片４０は弾性を伴って人体を叩くことができる。このように、棒体２１の部分的な点状の叩く力は、生じた弾性反発力により拡散されて、弾性を伴った均等な面状の力に変化することができるため、シェイプアップとダイエットの効果を向上させることができる。
【００１６】
図８に示すように、棒体２１が縮んだ後、連結板３０に連動して叩き片４０が移動し、叩き片４０は元の位置に戻る。また、弾性体３１が補助的に連結板３０を引っ張ることにより、連結板３０を安定して移動させることができる。
【００１７】
図１０に示すように、使用者は、本考案のマッサージベルト１０の内径を調整することで、マッサージベルト１０を、使用者の肩部と脇の下の間の部位に巻いて固定することができる。
【００１８】
図１１に示すように、本考案の別の実施例では、連結板３０ａの両側を、台座体１１内に向かって折り曲げて延伸させ、Ｌ字型の板体を形成させる。また、連結柱４２が、Ｌ字型の板体に可動に貫設される。それにより、叩き片４０と連結板３０ａの間の距離、を短くすることができ、しいては、本考案の面状に叩くことが可能なマッサージベルトの厚さを減らすことができる。
【符号の説明】
【００１９】
１０      マッサージベルト              
１１      台座体
１１１    リング部                    
１２      ベルト体                      
１２１    粘着部                
２０      駆動部材
２１      棒体                      
２２      導線
２３      制御ユニット              
２４      支持板
２５      蓋板                      
３０      連結板
３０ａ    連結板
３１      弾性体                  
３２      開孔
４０      叩き片                  
４１      マッサージ凸部
４２      連結柱                  
５０      弾力部材
５１      ワッシャ                    
【図１】
0003169025.tif 000003
【図２】
0003169025.tif 000004
【図３】
0003169025.tif 000005
【図４】
0003169025.tif 000006
【図５】
0003169025.tif 000007
【図６】
0003169025.tif 000008
【図７】
0003169025.tif 000009
【図８】
0003169025.tif 000010
【図９】
0003169025.tif 000011
【図１０】
0003169025.tif 000012
【図１１】
0003169025.tif 000013